(57)【要約】【課題】多値データを確実に再生できるようにするための記録条件を短時間で求められるようにする。【解決手段】多値データ発生器４で多値データ列を発生して記録媒体１０に記録し、それを再生して多値データ列中の各パターンデータ毎の再生結果を得て、多値データ判定器８で再生結果から多値データを判定し、判定を誤ったパターンデータを検出し、テストパターン生成器７でパターンデータからテストデータを生成して記録媒体１０に記録し、それを再生して各パターンデータ毎の再生結果を得て、多値データ判定器８で再生結果から各パターンデータ毎の多値データを判定し、その判定結果に基づいて求めた多値データ判定誤り率が所定値よりも小さくなるまで記録パルス補正量計算機９が記録補正テーブル６の記録条件を補正する。【選択図】　　　図１
2004134021.tif 000002
【特許請求の範囲】
【請求項１】
複数個の多値データを組み合わせたパターンデータを複数個連ねた多値データ列を発生し、その多値データ列を記録媒体に記録し、その記録した多値データ列を再生して該多値データ列中の各パターンデータ毎の再生結果を取得し、その再生結果から各パターンデータ毎の多値データを判定し、その判定において多値データの判定を誤ったパターンデータを検出し、その検出したパターンデータからテストデータを生成し、そのテストデータを前記記録媒体に記録し、その記録したテストデータを再生して該テストデータ中の各パターンデータ毎の再生結果を取得し、その再生結果から各パターンデータ毎の多値データを判定し、その判定結果と前記テストデータとに基づいて求めた多値データ判定誤り率が所定値よりも小さくなるまで前記テストデータを記録するときの記録条件を補正することを特徴とする情報記録方法。
【請求項２】
請求項１記載の情報記録方法において、
前記パターンデータは、３個の多値データの全組合せを含むランダムデータであることを特徴とする情報記録方法。
【請求項３】
請求項１又は２記載の情報記録方法において、
前記記録条件の補正は、前記記録媒体に前記テストデータを記録するときのレーザビームの記録パワー又はレーザビームの照射時間を補正することを特徴とする情報記録方法。
【請求項４】
請求項１記載の情報記録方法において、
前記記録条件の補正は、ｎを１以上の整数，ｍを正の整数とし、前記記録媒体に記録パワーＥ（ｎ−１）で記録した前記テストデータの多値データｍの判定結果が多値データｍ−１の場合、ｎ回目のレーザビームエネルギー補正量ΔＥ（ｎ）＝＋｛Ｅ（ｎ−１）−Ｅ（ｎ−２）｝／２に基づいて補正し、前記記録媒体に記録パワーＥ（ｎ−１）で記録した前記テストデータの多値データｍの判定結果が多値データｍ＋１の場合、ｎ回目のレーザビームエネルギー補正量ΔＥ（ｎ）＝−｛Ｅ（ｎ−１）−Ｅ（ｎ−２）｝／２に基づいて前記記録媒体に前記テストデータを記録するときのレーザビームの記録パワーを補正することを特徴とする情報記録方法。
【請求項５】
請求項１乃至４のいずれか一項に記載の情報記録方法において、前記記録媒体は相変化型光ディスクであることを特徴とする情報記録方法。
【請求項６】
複数個の多値データを組み合わせたパターンデータを複数個連ねた多値データ列を発生する手段と、該手段によって発生した多値データ列を記録媒体に記録する手段と、該手段によって記録した多値データ列を再生して該多値データ列中の各パターンデータ毎の再生結果を取得する手段と、該手段による再生結果から各パターンデータ毎の多値データを判定する手段と、該手段による判定において多値データの判定を誤ったパターンデータを検出する手段と、該手段によって検出したパターンデータからテストデータを生成する手段と、該手段によって生成したテストデータを前記記録媒体に記録する手段と、該手段によって記録したテストデータを再生して該テストデータ中の各パターンデータ毎の再生結果を取得する手段と、該手段によって取得した再生結果から各パターンデータ毎の多値データを判定する手段と、該手段による判定結果と前記テストデータとに基づいて求めた多値データ判定誤り率が所定値よりも小さくなるまで前記テストデータを記録するときの記録条件を補正する手段とを備えたことを特徴とする情報記録装置。
【発明の詳細な説明】
【０００１】
【発明の属する技術分野】
この発明は、記録媒体に多値記録技術を用いてデータを記録する情報記録方法と光ディスクドライブ等の情報記録装置とに関する。
【０００２】
【従来の技術】
従来、ステップ１で多値データの全組合せを含むテストデータを記録媒体に記録して再生し、ステップ２で多値データ３個の組合せを１パターンとし、各パターンに対応する再生結果と理想信号レベル（多値データが確実に再生できる信号レベル）とを比較して両者の誤差Δを計算し、ステップ３でステップ２の誤差Δが所望の値に収束していない場合は対応するパターンの記録光量を補正し、ステップ１に戻って誤差Δが収束するまで繰り返すことにより、各パターンに対応する記録光量を最適化した目標信号レベルを決定し、その目標信号レベルで記録媒体に多値データを記録することによって記録媒体に記録した多値データを確実に再生できるようにしている（例えば、特許文献１参照）。
【０００３】
多値データ記録では、記録媒体に記録した多値データを再生する際に符号間干渉を除去するために、例えば、以下のような信号処理を行っている。
図５に示すように、（ｉ−１），ｉ，（ｉ＋１）番目のセルにそれぞれ多値データｌ，ｍ，ｎが記録されているトラックを再生した場合、ｉ番目のセルからの再生信号ｓ（ｉ）は波形等化器に入力され、その波形等化器からは数１に基づく演算処理によって波形等化後の信号ＥＱ（ｉ｜ｌ，ｍ，ｎ）が出力される（Ｃ１，Ｃ２：波形等化係数）。図６にそのときの再生信号波形と波形等化後信号波形とを示す。このＥＱ（ｉ｜ｌ，ｍ，ｎ）とは、（ｉ−１），ｉ，（ｉ＋１）番目のセルにそれぞれ多値データｌ，ｍ，ｎが記録されているトラックを再生した場合のｉ番目のセルの波形等化後の信号値を表している。
【０００４】
【数１】
ＥＱ（ｉ｜ｌ，ｍ，ｎ）＝Ｃ１｛ｓ（ｉ）−ｓ（ｉ−１）｝＋ｓ（ｉ）＋Ｃ２｛ｓ（ｉ）−ｓ（ｉ＋１）｝
【０００５】
（ｉ−１），ｉ，（ｉ＋１）番目のセルにそれぞれ多値データｍが記録されているトラックを再生した場合は、ＥＱ（ｉ｜ｍ，ｍ，ｍ）＝ｓ（ｉ）（∵ｓ（ｉ）＝ｓ（ｉ−１）＝ｓ（ｉ＋１））となる。
波形等化係数Ｃ１，Ｃ２を、多値データ列３個の全組合せ（ｍ値記録の場合、ｍ３通り）において、Σ｛ＥＱ（ｉ｜ｌ，ｍ，ｎ）−ＥＱ（ｉ｜ｍ，ｍ，ｍ）｝２が最小となるように設定することによって、符号間干渉を受けてなまった信号波形でも波形等化処理を行うことによってシャープな信号波形を得ることができる。上記目標信号レベルは、上で説明したＥＱ（ｉ｜ｍ，ｍ，ｍ）に相当すると考えられる。
【０００６】
【特許文献１】
特開平１０−１３４３５３号公報
【０００７】
【発明が解決しようとする課題】
しかしながら、従来の技術では、８値記録の場合では全パターンが５１２にもなり、５１２パターンすべてにおいて誤差Δ＜ｅになるまでテスト記録〜誤差Δの計算〜記録条件の変更の処理を繰り返すため、最適な記録条件を求めるまでに非常に時間がかかるという問題があった。
この発明は上記の課題を解決するためになされたものであり、多値データを確実に再生できるようにするための記録条件を短時間で求められるようにすることを目的とする。
【０００８】
【課題を解決するための手段】
この発明は上記の目的を達成するため、次の（１）〜（５）の各情報記録方法を提供する。
（１）複数個の多値データを組み合わせたパターンデータを複数個連ねた多値データ列を発生し、その多値データ列を記録媒体に記録し、その記録した多値データ列を再生してその多値データ列中の各パターンデータ毎の再生結果を取得し、その再生結果から各パターンデータ毎の多値データを判定し、その判定において多値データの判定を誤ったパターンデータを検出し、その検出したパターンデータからテストデータを生成し、そのテストデータを上記記録媒体に記録し、その記録したテストデータを再生してそのテストデータ中の各パターンデータ毎の再生結果を取得し、その再生結果から各パターンデータ毎の多値データを判定し、その判定結果と上記テストデータとに基づいて求めた多値データ判定誤り率が所定値よりも小さくなるまで上記テストデータを記録するときの記録条件を補正する情報記録方法。
【０００９】
（２）（１）の情報記録方法において、上記パターンデータは、３個の多値データの全組合せを含むランダムデータである情報記録方法。
（３）（１）又は（２）の情報記録方法において、上記記録条件の補正は、上記記録媒体に上記テストデータを記録するときのレーザビームの記録パワー又はレーザビームの照射時間を補正する情報記録方法。
【００１０】
（４）（１）の情報記録方法において、上記記録条件の補正は、ｎを１以上の整数，ｍを正の整数とし、上記記録媒体に記録パワーＥ（ｎ−１）で記録した上記テストデータの多値データｍの判定結果が多値データｍ−１の場合、ｎ回目のレーザビームエネルギー補正量ΔＥ（ｎ）＝＋｛Ｅ（ｎ−１）−Ｅ（ｎ−１）｝／２に基づいて補正し、上記記録媒体に記録パワーＥ（ｎ−１）で記録した上記テストデータの多値データｍの判定結果が多値データｍ＋１の場合、ｎ回目のレーザビームエネルギー補正量ΔＥ（ｎ）＝−｛Ｅ（ｎ−１）−Ｅ（ｎ−２）｝／２に基づいて上記記録媒体に上記テストデータを記録するときのレーザビームの記録パワーを補正する情報記録方法。
（５）（１）〜（４）のいずれかの情報記録方法において、上記記録媒体は相変化型光ディスクである情報記録方法。
【００１１】
さらに、次の（６）の情報記録装置も提供する。
（６）複数個の多値データを組み合わせたパターンデータを複数個連ねた多値データ列を発生する手段と、その手段によって発生した多値データ列を記録媒体に記録する手段と、その手段によって記録した多値データ列を再生してその多値データ列中の各パターンデータ毎の再生結果を取得する手段と、その手段による再生結果から各パターンデータ毎の多値データを判定する手段と、その手段による判定において多値データの判定を誤ったパターンデータを検出する手段と、その手段によって検出したパターンデータからテストデータを生成する手段と、その手段によって生成したテストデータを上記記録媒体に記録する手段と、その手段によって記録したテストデータを再生してそのテストデータ中の各パターンデータ毎の再生結果を取得する手段と、その手段によって取得した再生結果から各パターンデータ毎の多値データを判定する手段と、その手段による判定結果と上記テストデータとに基づいて求めた多値データ判定誤り率が所定値よりも小さくなるまで上記テストデータを記録するときの記録条件を補正する手段を備えた情報記録装置。
【００１２】
【発明の実施の形態】
以下、この発明の実施形態を図面に基づいて具体的に説明する。
図１は、この発明の一実施形態である光ディスク記録装置の構成を示すブロック図である。
この光ディスク記録装置は、光ピックアップヘッド（ＰＵＨ）１，レーザ駆動回路２，記録波形発生回路３，多値データ発生器４，波形等化回路５，記録補正テーブル６，テストパターン生成器７，多値データ判定器８，記録パルス補正量計算機９からなる。
【００１３】
まず、多値データ発生器４で複数個の多値データを組み合わせたパターンデータを複数個連ねた多値データ列（多値データのあらゆるパターンが含まれたテストデータ）を発生し、それを記録波形発生回路３に入力する。
記録波形発生回路３は、記録補正テーブル６の記録条件のデータを読み込み、その記録条件のデータと多値データ列とに基づいてその多値データ列中の各パターンデータに応じた記録パルスを生成し、それをレーザ駆動回路２へ出力する。レーザ駆動回路２は、その記録パルスに基づいてＰＵＨ１の半導体レーザ光源（ＬＤ）を駆動し、ＬＤから出射されたレーザ光を光学ヘッドによって記録媒体１０上に集光して多値データ列の記録マークを形成し、記録媒体１０に多値データ列を記録する。
【００１４】
記録媒体１０に記録した多値データ列の再生時は、記録媒体１０からの反射光がＰＵＨ１に備えた受光器に取り込んで電気信号に変換する。その電気信号は図示を省略した公知の再生信号増幅器を通って波形等化回路５に入力される。波形等化回路５ではその電気信号に波形等化処理を施して多値データ判定器８へ出力する。すなわち、ＰＵＨ１によって記録媒体１０に記録された多値データ列を再生してその多値データ列中の各パターンデータ毎の再生結果を取得する。
【００１５】
多値データ判定器８は、波形等化処理された電気信号を入力すると、その再生結果の電気信号から各パターンデータ毎の多値データを判定し、その判定において多値データの判定を誤ったパターンデータ（誤りパターンデータ）を検出（抽出）し、その誤りパターンデータと多値データ列とを比較して多値データ判定誤り率（記録した多値データ数中の再生したときに判定を誤った多値データ数の割合）を計算して求め、その多値データ判定誤り率が予め設定した所定値（基準値）よりも小さいか否かを判断し、小さければ誤りパターンデータをテストパターン生成器７へ出力する。
【００１６】
テストパターン生成器７は、多値データ判定器８によって検出された誤りパターンデータだけからなるテストデータ（テストパターンデータ）を生成して多値データ発生器４に入力する。
次に、多値データ発生器４はテストデータを発生し、それを記録波形発生回路３に入力する。
記録波形発生回路３は、記録補正テーブル６の記録条件のデータを読み込み、その記録条件のデータとテストデータとに基づいてそのテストデータ中の各パターンデータに応じた記録パルスを生成し、それをレーザ駆動回路２へ出力する。
【００１７】
レーザ駆動回路２は、その記録パルスに基づいてＰＵＨ１の半導体レーザ光源（ＬＤ）を駆動し、ＬＤから出射されたレーザ光を光学ヘッドによって記録媒体１０上に集光してテストデータの記録マークを形成し、記録媒体１０にテストデータを記録する。
記録媒体１０に記録したテストデータの再生時は、記録媒体１０からの反射光がＰＵＨ１に備えた受光器に取り込んで電気信号に変換する。その電気信号は図示を省略した公知の再生信号増幅器を通って波形等化回路５に入力される。波形等化回路５ではその電気信号に波形等化処理を施して多値データ判定器８へ出力する。すなわち、ＰＵＨ１によって記録媒体１０に記録されたテストデータを再生してそのテストデータ中の各パターンデータ毎の再生結果を取得する。
【００１８】
多値データ判定器８は波形等化処理された電気信号を入力すると、その再生結果の電気信号から各パターンデータ毎の多値データを判定し、その判定において多値データの判定を誤ったパターンデータ（誤りパターンデータ）を検出（抽出）し、その誤りパターンデータとテストデータとを比較して多値データ判定誤り率（記録した多値データ数中の再生したときに判定を誤った多値データ数の割合）を計算して求め、その多値データ判定誤り率が予め設定した所定値（基準値）よりも小さいか否かを判断し、所定値よりも小さいなら処理を終了し、所定値よりも小さくなければ記録パルス補正量計算機９へ指示と記録パルス補正量の計算に必要な情報とを出力し、テストパターン生成器７へ誤りパターンデータを出力する。
【００１９】
テストパターン生成器７は、多値データ判定器８によって検出された誤りパターンデータだけからなるテストデータを生成して多値データ発生器４に入力し、以下上述と同様にしてテストパターンの記録，再生，多値データ判定誤り率の計算，記録補正テーブル６の更新を実行する。
このようにして、多値データ判定器８において多値データ判定誤り率が所定値未満に収束するまで（所定範囲内に収束するまで，所定値よりも小さくなるまで）上述したテストデータを記録するときの記録条件を補正する処理を繰り返すことにより、記録補正テーブル６内に短時間で多値データを確実に再生できる記録条件のデータを導出することができる。
【００２０】
初期の記録条件としてのレーザビーム光量を多値データと反射光量がほぼ線形となる条件とし、パターン毎に記録補正を行わないでランダムデータをテスト記録した場合、確かに理想信号レベルと再生信号レベルとの差が所望の値よりも大きいパターンがある。しかし、それら全てのパターンが判定誤りになるわけではなく、多値データ判定誤り率としては数パーセント程度である。
そこで、ランダムデータを記録した際に判定誤りとなったパターンについてだけ記録補正を行うようにすれば、全てのパターンについて記録条件を最適化するよりも効率が良い。
【００２１】
この光ディスク記録装置は、まず、既知の多値ランダムデータを記録して再生し、その多値データ判定を行う。そのとき判定を誤ったパターンを抽出し、それらのパターンだけでテストデータを生成する。そのテストデータを使ってテスト記録を行って再生し、テスト記録の多値データ判定誤り率が所望の値に収束するまで記録条件の補正を繰り返し行う。その補正された記録条件を使って再びランダムデータを記録し、多値データ判定誤り率が所望の値に収束するまで繰り返す。こうして、多値データ判定を誤まったパターンについてのみ記録補正を行うので、短時間で多値データを確実に再生できる記録条件を見つけることができる。
【００２２】
次に、この光ディスク記録装置におけるこの発明に係る処理についてさらに説明する。
図２は、図１に示した光ディスク記録装置におけるこの発明に係る情報記録処理を示すフローチャート図である。
ここでは、３個の多値データの全組合せを含むランダムデータであるパターンデータでレーザビームエネルギーを補正する場合について説明する。
まず、ステップ（図中「Ｓ」で示す）１の既知ランダムデータ記録処理において既知の３個の多値データの全組み合わせのパターンデータを含む多値データのパターンデータを連ねた多値データ列であるランダムデータを発生し、表１に示すフォーマットの記録補正テーブルのデータを読み込み、そのデータに基づいてランダムデータ内のパターンデータに一致する記録パルスを発生し、記録媒体にランダムデータを記録する。
【００２３】
【表１】
2004134021.tif 000003
【００２４】
ステップ２で記録媒体に記録したランダムデータを再生し、ステップ３でその再生信号をアナログからデジタルへ変換（Ａ／Ｄ変換）してサンプリングした後、ステップ４で波形等化処理を行い、ステップ５の多値シンボル判定処理でランダムデータ中の各パターンデータ毎の再生結果を取得し、その再生結果から各パターンデータ毎の多値データを判定し、その判定結果と記録したランダムデータとを比較して多値データ判定誤り率ＳＥＲを計算する。
ステップ６で多値データ判定誤り率ＳＥＲが所望の値である所定値１０−３（＝１／１０３）よりも小さいか否かを判断し、小さければこの処理を終了する。ステップ６で多値データ判定誤り率ＳＥＲが所望の値である所定値１０−３（＝１／１０３）よりも小さくない場合は、ステップ７のエラーパターンの抽出処理で多値データの判定を誤まった誤りパターンデータを抽出（検出）し、ステップ８のテストパターン作成処理でそれらのエラーパターンだけの記録補正用のテストデータを作成して生成する。
【００２５】
ステップ９のテストパターン記録処理でそのテストデータをランダムデータのテスト記録と同様に記録媒体に記録し、ステップ１０で記録媒体に記録したテストデータを再生し、ステップ１１でその再生信号をアナログからデジタルへ変換（Ａ／Ｄ変換）してサンプリングした後、ステップ１２で波形等化処理を行い、ステップ１３の多値シンボル判定処理でテストデータ中の各パターンデータ毎の再生結果を取得し、その再生結果から各パターンデータ毎の多値データを判定し、その判定結果と記録したテストデータとを比較して多値データ判定誤り率ＳＥＲを計算する。
ステップ１４で多値データ判定誤り率ＳＥＲが所望の値である所定値１０−２（＝１／１０２）よりも小さいか否かを判断し、小さければこの処理を終了する。
【００２６】
ステップ１４で多値データ判定誤り率ＳＥＲが所望の値である所定値１０−２（＝１／１０２）よりも小さくない場合は、ステップ１５の補正テーブル更新処理で記録補正テーブルの記録条件のデータを補正し、ステップ９へ戻って上述の処理を繰り返す。また、ステップ１４の判断で多値データ判定誤り率ＳＥＲが所望の値である所定値１０−２（＝１／１０２）よりも小さい場合、ステップ１へ戻って上述の処理を繰り返す。
このようにして、多値データ判定誤り率が所望の値以下に収束するまで記録補正テーブルの記録条件のデータの補正を繰り返す。
【００２７】
このようにして、多値データ判定を誤まったパターンについてのみ記録補正を行うので、短時間で多値データを確実に再生できる記録条件を求めることができる。
また、多値データ３個の全組合せを含むランダムデータを記録して多値判定誤りを検出するので、ユーザデータを記録したときと同等の多値データ誤り率を求めることができる。
【００２８】
次に、記録条件のデータとしてレーザビームエネルギーを補正するときの処理について説明する。
図３は記録パルス波形の一例を示す波形図である。
図４は、記録媒体にマークのＴｏｆｆを変化させて記録したときの信号レベルの変化を示す波形図である。
ここでは、多値データの判定を誤ったパターンの記録パルス補正方法について、３個の多値データｘ，２，ｙからなるパターンデータ（ｘ２ｙ）の“２”を“３”と判定誤りした場合、レーザビームエネルギーを、図３に示すように記録パワーＰｗのＴｔｏｐ＝Ｔｂ−Ｔａ，記録パワーＰｂのＴｏｆｆ＝Ｔｃ−Ｔｂを変化させて制御して補正する場合を示す。
【００２９】
図４に示すように、反射率が高い方を小さい多値データとしている。
いま、多値データ“２”が“３”と判定されたので、信号レベルを上げるために、レーザビームエネルギーをΔＴｏｆｆだけ補正する必要がある。ここで、ｎ回目の補正のレーザビームエネルギー補正量をΔＴｏｆｆ（ｎ）（ｘ２ｙ）とすると、ｎ回目の補正後のレーザビームエネルギーはＴｏｆｆ（ｎ）＝Ｔｏｆｆ（ｎ−１）＋ΔＴｏｆｆ（ｎ）（数の右肩の（ｎ）のｎは補正回数を示す）になる。
まず、次の数２の演算によって１回目の補正量ΔＴｏｆｆ（１）を求め、その補正量から１回目の補正後のレーザビームエネルギーを変更する。
【００３０】
【数２】
ΔＴｏｆｆ（１）（ｘ２ｙ）＝−｜Ｔｏｆｆ（０）（ｘ２ｙ）−Ｔｏｆｆ（０）（ｘ１ｙ）｜／２
【００３１】
次に、１回目の補正後のレーザビームエネルギーＴｏｆｆ（１）（ｘ２ｙ）で記録して再生し、まだ多値データ“３”と判定された場合、さらに次の数３の演算によって２回目の補正量ΔＴｏｆｆ（２）を求め、その補正量から２回目の補正後のレーザビームエネルギーを変更する。
【００３２】
【数３】
ΔＴｏｆｆ（２）（ｘ２ｙ）＝−｜Ｔｏｆｆ（０）（ｘ２ｙ）−Ｔｏｆｆ（０）（ｘ１ｙ）｜／２
【００３３】
このようにして、多値データ“２”と判定されるまで数４に示すｎ回目の補正量ΔＴｏｆｆ（ｎ）を求め、その補正量からｎ回目の補正後のレーザビームエネルギーを変更する。
【００３４】
【数４】
ΔＴｏｆｆ（ｎ）（ｘ２ｙ）＝−｜Ｔｏｆｆ（ｎ−１）（ｘ２ｙ）−Ｔｏｆｆ（０）（ｘ１ｙ）｜／２
【００３５】
逆に、レーザビームエネルギーＴｏｆｆ（１）（ｘ２ｙ）で記録して再生し、多値データ“１”と判定された場合は次の数５の演算によって２回目の補正量ΔＴｏｆｆ（２）を求め、その補正量から２回目の補正後のレーザビームエネルギーを変更する。
【００３６】
【数５】
ΔＴｏｆｆ（２）（ｘ２ｙ）＝＋｜Ｔｏｆｆ（１）（ｘ２ｙ）−Ｔｏｆｆ（０）（ｘ１ｙ）｜／２
【００３７】
このようにして、多値データ“２”と判定されるまで数６に示すｎ回目の補正量ΔＴｏｆｆ（ｎ）を求め、その補正量からｎ回目の補正後のレーザビームエネルギーを変更する。
【００３８】
【数６】
ΔＴｏｆｆ（ｎ）（ｘ２ｙ）＝＋｜Ｔｏｆｆ（ｎ−１）（ｘ２ｙ）−Ｔｏｆｆ（ｎ−２）（ｘ２ｙ）｜／２
【００３９】
こうして、ｎ回目のレーザビームエネルギーの補正量を（ｎ−１）及び（ｎ−２）回目の記録条件を使って容易に求められる。
したがって、従来技術のように理想信号レベル（８値記録の場合、５１２パターンの理想信号レベルを計算することになる）を求める必要がなく、また理想信号レベルと再生信号レベルとの誤差を計算し、それに応じた補正量を計算する必要もない。
この実施形態の光ディスク記録装置の処理では、パターン毎の理想信号レベル及び理想信号レベルと再生信号レベルとの誤差を求めることなく、判定誤りとなったパターンの記録条件だけを補正するので、全パターンの記録条件を最適化することなく、簡単に（少ない計算量で）判定誤り率を低減できる記録条件を導出できる。
【００４０】
上述の処理では、Ｔｏｆｆで信号レベルを補正したが、Ｐｗ，Ｔｏｎで補正しても同様の効果が得られ、ΔＴｏｆｆと同様にｎ回目のレーザビームエネルギー補正量ΔＥ（ｎ）を、次の数７の演算によって求めてレーザビームエネルギーを補正すれば良い（Ｅ：ＰｗあるいはＴｏｎ）。
ただし、レーザビームエネルギーＥ（ｎ−１）で記録した多値データｍの判定結果がｍ−１の場合は、ΔＥ（ｎ）＝＋｜Ｅ（ｎ−１）−Ｅ（ｎ−２）｜／２であり、レーザビームエネルギーＥ（ｎ−１）で記録した多値データｍの判定結果がｍ＋１の場合は、ΔＥ（ｎ）＝−｜Ｅ（ｎ−１）−Ｅ（ｎ−２）｜／２である。
【００４１】
【数７】
ΔＥ（ｎ）＝±｜Ｅ（ｎ−１）−Ｅ（ｎ−２）｜／２
【００４２】
このようにして、レーザビームエネルギーの補正を、記録パワー，レーザの照射時間のいずれか又はそれらの組合せで行うので、レーザビームエネルギーを容易に補正することができる。
【００４３】
次に、上記記録媒体１０として波長６５０ｎｍのレーザ光で記録が可能な相変化型光ディスクに上述の処理を施した場合について説明する。
記録媒体１０の基板は、直径１２０ｍｍ，厚さ０．６ｍｍのポリカーボネートからなり、基板表面上には射出成形によってグルーブが形成されている。
そのグルーブは、幅約０．３５μｍ，深さ約４０ｎｍ，トラックピッチ０．７４μｍで内周から外周まで連続したスパイラルとして形成されている。
この基板上に、誘電体膜，相変化記録膜，誘電体膜，反射膜を順次積層して相変化型光ディスクを作製した。
【００４４】
この記録媒体１０に、波長６５０ｎｍ，対物レンズのＮＡ０．６５でデータの記録と再生をし、記録線速度６．０ｍ／ｓ，セル長０．４８μｍ，レーザパワーＰｅ＝８ｍＷ，Ｐｗ＝１５ｍＷ，Ｐｂ＝０．１ｍＷで８値記録した場合、パターン毎に記録補正をしないでランダムデータを記録した結果、多値データ判定誤り率は約３％であった。
そして、判定誤りをしたパターンからテストデータを生成し、多値データ判定誤りが１％以下になるまで、テスト記録−多値データ判定−記録条件の補正を繰り返し行うと、補正した記録条件で再びランダムデータを記録した結果、０．１％以下の良好な多値データ判定誤り率が得られた。
このように、この光ディスク記録装置において、記録媒体に相変化型光ディスクを用いれば記録マークを精度よく形成することができる。
【００４５】
【発明の効果】
以上説明してきたように、この発明の情報記録方法と情報記録装置によれば、多値データを確実に再生できるようにするための記録条件を短時間で求められるようにすることができる。
【図面の簡単な説明】
【図１】この発明の一実施形態である光ディスク記録装置の構成を示すブロック図である。
【図２】図１に示した光ディスク記録装置におけるこの発明に係る情報記録処理を示すフローチャート図である。
【図３】記録パルス波形の一例を示す波形図である。
【図４】記録媒体にマークのＴｏｆｆを変化させて記録したときの信号レベルの変化を示す波形図である。
【図５】記録媒体上の多値データの記録例の説明図である。
【図６】記録媒体に記録された多値データを再生したときの再生信号波形と波形等化後信号波形とを示す波形図である。
【符号の説明】
１：光ピックアップヘッド（ＰＵＨ）
２：レーザ駆動回路　　３：記録波形発生回路
４：多値データ発生器　５：波形等化回路
６：記録補正テーブル　７：テストパターン生成器
８：多値データ判定器　９：記録パルス補正量計算機
１０：記録媒体
【図１】
2004134021.tif 000004
【図２】
2004134021.tif 000005
【図３】
2004134021.tif 000006
【図４】
2004134021.tif 000007
【図５】
2004134021.tif 000008
【図６】
2004134021.tif 000009